(57)【要約】【課題】  下水設備のない場所で使用しても日常的な汲み取り作業が不用な小用仮設トイレの提供、および、バイオトイレの分解作用を妨げることのない仮設トイレユニットの提供を目的とする。【解決手段】  小用仮設トイレ２は、小用便器５と、小用水洗装置６と、小用便器５からの尿及び水洗水を収容し、エアー曝気管１１により尿水を曝気する曝気槽８と、曝気槽８からの尿水を収容し、加熱装置１２により尿水を加熱して蒸散させる蒸散槽９とを備えてなる。また、仮設トイレユニット１は、大用便器１６と、大用水洗装置２２と、大用便器１６からの排泄物および水洗水を収容して、攪拌機１９により好気性微生物とともに排泄物を攪拌して分解する分解処理槽１８とを備えたバイオトイレ３を、前記小用仮設トイレ２と隣接させて一体に構成した。【選択図】      図３
2006328786.tif 000002
【特許請求の範囲】
【請求項１】
小用便器と、小用便器に水洗水を注水する小用水洗装置と、小用便器からの尿及び水洗水を収容し、槽内に設けた曝気装置により尿水を曝気する曝気槽と、曝気槽からの尿水を収容し、槽内に設けた加熱装置により尿水を加熱して蒸散させる蒸散槽とを備えてなる小用仮設トイレ。
【請求項２】
大用便器と、大用便器に水洗水を注水する大用水洗装置と、大用便器からの排泄物および水洗水を収容して、槽内に設けた攪拌機により好気性微生物とともに排泄物を攪拌して分解する分解処理槽とを備えたバイオトイレを、請求項１に記載の小用仮設トイレと隣接させて一体に構成した仮設トイレユニット。
【発明の詳細な説明】
【技術分野】
【０００１】
本発明は、仮設トイレに関するものである。
【背景技術】
【０００２】
建設現場や土木工事現場等に一時的に設置する仮設トイレは、下水設備のない場所に設置されるので、便器の下に便尿等の排泄物を全て貯留しておく便槽が設けられている。使用する際は、この一つの便槽に大小便を分離することなく全て流し込み、満杯となったときにバキュームカー等で汲み取る作業を行っていた。また、近年においては大便の処理にバイオトイレが利用されることもある。このバイオトイレは排泄された大便を便槽内で好気性微生物の着床した微生物着床材と共に攪拌し、微生物に大便を分解処理させるというものである。
下記特許文献１，２にはいずれもバイオトイレに関する記載がなされている。
【０００３】
【特許文献１】特開平２００４−１５００８６号公報
【０００４】
【特許文献２】特開平２０００−４１８９２号公報
【発明の開示】
【発明が解決しようとする課題】
【０００５】
しかし、従来の仮設トイレでは、大小便を分離することなく一緒に流し込むので、便尿や水洗水で便槽が直ぐに満杯になって使用できなくなり、度々汲み取り作業が必要となる。また、バイオトイレを採用した場合であっても大便に比較して尿や水洗水が過大であるので、その水分が微生物の働きを弱めることとなり、実質上分解処理が行われないという問題があった。
【０００６】
本発明は、上記した従来の問題点に鑑みてなされたものであって、下水設備のない場所で使用しても日常的な汲み取り作業が不用な小用仮設トイレの提供、および、バイオトイレの分解作用を妨げることのない仮設トイレユニットの提供を目的とする。
【課題を解決するための手段】
【０００７】
上記目的を達成するために、本発明に係る小用仮設トイレは、小用便器と、小用便器に水洗水を注水する小用水洗装置と、小用便器からの尿及び水洗水を収容し、槽内に設けた曝気装置により尿水を曝気する曝気槽と、曝気槽からの尿水を収容し、槽内に設けた加熱装置により尿水を加熱して蒸散させる蒸散槽とを備えてなる構成にしてある。
【０００８】
また、本発明にかかる仮設トイレユニットは、大用便器と、大用便器に水洗水を注水する大用水洗装置と、大用便器からの排泄物および水洗水を収容して、槽内に設けた攪拌機により好気性微生物とともに排泄物を攪拌して分解する分解処理槽とを備えたバイオトイレを、前記小用仮設トイレと隣接させて一体に構成したものである。
【発明の効果】
【０００９】
本発明に係る小用仮設トイレによれば、まず、曝気槽が小用便器からの尿及び水洗水を収容し、曝気装置により尿水を曝気することで、尿水の一部が蒸散して後続の処理負荷を軽減する。次に蒸散槽は、曝気槽からの尿水を収容し、加熱装置により尿水を加熱して蒸散させる。一般に、尿中の蒸発乾固分は極めて微量であることから、尿水を曝気および加熱により蒸散するという簡易な方法でほとんど全てを気化することができる。従って、収容した尿水を下水に流すことがなく、年1回程度の点検整備だけで、日常的な汲み取り等の作業も全く不要となる。これにより、従来のように排泄物を収容する便槽が直に満杯になって使用できなくなるといったことがなくなり、小用仮設トイレの処理能力が増大する。また、必要とされる電力が少なくてすみ運転コストも低廉となる。
【００１０】
そして、本発明による仮設トイレユニットについては、バイオトイレにおいて、分解処理槽が大用水洗便器からの排泄物および水洗水を収容し、攪拌機により好気性微細生物とともに排泄物を攪拌して水、窒素、炭酸ガス等に分解させる。よって、排泄物等を収容する分解処理槽がすぐに満杯になって使用できなくなるといったことがなく、かなりの期間汲み取り作業が不要となる。また、大便は排泄物のうちでも寡少なので、大便と小便とを別々に収容して処理することで、仮設トイレの全体としての処理能力が飛躍的に増大され、土木現場等の少人数の排泄物処理のみならず建築現場等の多人数の排泄物処理にも十分対応できる。
【発明を実施するための最良の形態】
【００１１】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る仮設トイレユニットの床上構成図、図２は本発明の一実施形態にかかる仮設トイレユニットの床下構成図、図３は図１，２におけるＡ−Ａ線矢視断面図である。
各図において、この実施形態に係る仮設トイレユニット１は、小用仮設トイレ２とバイオトイレ３を隣接させて一体に構成される。
まず、小用仮設トイレ２については、小用便器５が床４上に設置され、室外の水道管と連結された小用水洗装置６が小用便器５の上部に接続される。小用便器５の下部と接続された小用管７が床４を貫通して設けられており、小用管７の下端はさらに下方に設けられた曝気槽８内に開口して配置される。
【００１２】
曝気槽８は平面視略Ｌの字状に形成され、槽内の底部にはエアーポンプ（図示せず）に接続されたエアー曝気管１１（曝気装置の例）が配設される。この曝気槽８は仕切り壁１３を介して蒸散槽９と隣接して設けられ、仕切り壁１３の上流側の曝気槽８内には仕切り壁１３と平行して懸下壁２３が床４より垂設されている。懸下壁２３の下端は仕切り壁１３の上面よりも低い位置に配置されている。蒸散槽９内の底部には例えば電熱ヒーター等の加熱手段１２および水位センサー１４が設けられ、床４の下方で曝気槽８および蒸散槽９の上方位置にそれぞれ端部が開口する換気装置１５が設けられている。
【００１３】
バイオトイレ３については、大用便器１６が床４上に設置され、室外の水道管と連結された大用水洗装置２２が大用便器１６の上部に接続される。大用便器１６の下部と接続された大用管１７が床４を貫通して設けられている。床４の下方には分解処理槽１８が設置される。分解処理槽１８は正面視半円弧状のものが二個平行して接するように設けられ、槽内には複数の攪拌羽根をもつ攪拌機１９，１９が設置され、チェーン等で駆動連結されたモータ２０，２０により回転する。また、好気性微生物が着床する例えばそば殻等の微生物着床材２１が充填されている。さらに、床４の下方で分解処理槽９の上方位置に換気装置１５が設けられている。
【００１４】
引続き、仮設トイレユニット１の動作につき、以下に説明する。
まず、小用仮設トイレ２については、利用者が小用便器５に用をして小用水洗装置６を使用すると一回あたり例えば２００ｃｃから３００ｃｃの水洗水が注水される。かかる水洗水によりほぼ２倍に希釈された尿水は小用管7を通り、曝気槽８に収容される。曝気槽８に収容された尿水は自然蒸散によって１日当たり約４容量％が減少する。さらに、エアー曝気管１１によってエアー曝気がかけられ、１日あたり約８容量％から１２容量％の尿水が蒸散する。尚、エアー曝気がかけられるのは連続的であってもよく間欠的であってもよい。これらにより、尿水の１２容量％から１６容量％が蒸散されて後続の処理負荷を軽減する。
【００１５】
曝気槽８から溢流した尿水は蒸散槽９に収容される。蒸散槽９では槽内の水位センサー１４により、水位が管理され所定の水位より高くなった場合に、加熱装置１２が作動される。これにより、尿水は熱せられて蒸散し、次第に蒸散槽９内の尿水の水位が下がっていく。そのうち、所定の水位を下回った時点で、加熱装置１２の作動が停止される。加熱により発生した水蒸気やアンモニアガス等は換気装置１５により室外に放出される。ここで、曝気槽８ではなく蒸散槽９内に加熱装置１２を設けた理由は、曝気槽８内に加熱装置１２があるとすれば曝気槽８に導入された尿水の全体を一度に加熱することとなる。これには非常に多くのエネルギーを必要とし、ヒーターの容量を大きくせざるを得ず、運転コストが高くなる。従って、曝気槽８において一部蒸散させ、さらにその残りの尿水のうちでも曝気槽８から溢流した尿水についてのみを少量ずつに分けて、段階的に加熱することで、少しのエネルギーであっても、効率よく蒸散させることができる。
【００１６】
また、一般に、尿中の蒸発乾固分は極めて微量であることから、尿水を曝気および加熱により蒸散させるという簡易な方法でほとんど全てを容易に気化することができる。従って、収容した尿水を下水に流すことがなく、年1回程度の点検整備だけで、日常的な汲み取り等の作業も全く不要となる。これにより、従来のように排泄物を収容する収容槽が直に満杯になって使用できなくなるといったことがなくなり、小用仮設トイレの処理能力が増大する。また、必要とされる電力が少なくてすみ運転コストも低廉となる。
【００１７】
次に、バイオトイレについては、大用水洗装置２２から注水された水洗水および排泄物が大用管１７を通って分解処理槽１８に収容され、好気性微生物の着床した微生物着床材２１とともに攪拌される。尚、攪拌は連続的であってもよく、間欠的であってもよい。排泄物は微生物によって水、窒素、炭酸ガス等に分解され、これらの気体は換気装置１５によって室外に放出される。このように、好気性微生物によって排泄物が水等に分解されて放出されるので、分解処理槽１８がすぐに満杯になって使用できなくなるといったことがなく、従来は２，３ヶ月に１度必要であった汲み取り作業が約５年間という長い期間に亘りほとんど不要となる。
【００１８】
また、大便と小便とを別々に収容して処理することで、尿や水洗水が過大であるために微生物の働きを弱め実質上分解処理が行われないといったことがない。さらに、大便は排泄物のうちでも寡少なので、上記小用仮設トイレと隣接させて一体に構成することで仮設トイレユニットの全体としての処理能力が飛躍的に増大され、土木工事現場及び建築工事現場等の少人数から多人数までの排泄物処理にも十分対応できる。
【００１９】
尚、上記の実施形態では、小用および大用水洗装置として室外の水道管と連結されたものをあげたが、水洗水として使う目的で雨水等をタンクに溜めておきこれを利用してもよい。また、加熱装置として電熱ヒーターをあげたが、マイクロ波加熱装置等であってもよい。また、微生物着床材にそば殻を使用したが、それに限定されるものでなく、例えば、籾殻、半炭化チップ、自然天然の多孔石、合成繊維束等、微生物が着床しやすく排泄物を砕くだけの剛性を有するいものであればどのようなものでもよい。さらに、小用仮設トイレまたはバイオトイレに隣接して手洗いを設けてもよい。
【図面の簡単な説明】
【００２０】
【図１】本発明の一実施形態に係る仮設トイレユニットの床上構成図である。
【図２】本発明の一実施形態にかかる仮設トイレユニットの床下構成図である。
【図３】図１，２におけるＡ−Ａ線矢視断面図である。
【符号の説明】
【００２１】
１  仮設トイレユニット
５  小用便器
６  小用水洗装置
７  小用管
８  曝気槽
９  蒸散槽
１１  エアー曝気管（曝気装置）
１２  加熱装置
１６  大用便器
１７  大用管
１８  分解処理槽
１９  攪拌機
２２  大用水洗装置
【図１】
2006328786.tif 000003
【図２】
2006328786.tif 000004
【図３】
2006328786.tif 000005